(57)【要約】【課題】３次元表示を行うための複数の画像に含まれる被写体間の視差を容易に適切なものにする。【解決手段】撮影部２１Ａ，２１Ｂが取得した第１および第２の画像Ｇ１，Ｇ２を重ねてモニタ２０に表示する。撮影者が選択した撮影系の許容視差量に対応する幅方向のサイズを有するポインタＰをモニタ２０に表示する。撮影者はポインタＰのサイズにより、第１および第２の画像Ｇ１，Ｇ２に含まれる被写体間の視差が許容視差量の範囲内にあるか否かを確認できる。【選択図】図１
2010102137.tif 000002
【特許請求の範囲】
【請求項１】
互いに異なる位置において被写体を撮影することにより、３次元表示のために視差を有する複数の画像を取得する複数の撮影手段と、
各種表示を行う表示手段と、
前記複数の画像を３次元表示する複数種類の観察系についての許容視差量を表す視差情報を記憶する記憶手段と、
前記複数の画像を重ねて前記表示手段に表示するとともに、選択された観察系の種類に応じた前記許容視差量を前記記憶手段から読み出し、該読み出した許容視差量に応じたサイズを有するポインタを前記表示手段に表示する表示制御手段とを備えたことを特徴とする３次元撮影装置。
【請求項２】
前記ポインタの移動の指示を受け付ける指示手段をさらに備え、
前記表示制御手段は、前記指示手段に対する指示により、前記ポインタを前記表示手段上において移動させる手段であることを特徴とする請求項１記載の３次元撮影装置。
【請求項３】
前記複数の画像および前記選択された観察系の情報を関連づけて保存する保存手段をさらに備えたことを特徴とする請求項１または２記載の３次元撮影装置。
【請求項４】
互いに異なる位置において被写体を撮影することにより、３次元表示のために視差を有する複数の画像を取得する複数の撮影手段と、
各種表示を行う表示手段とを備えた３次元撮影装置における３次元撮影方法であって、
前記複数の画像を重ねて前記表示手段に表示し、
前記複数の画像を３次元表示する複数種類の観察系についての許容視差量を表す視差情報を記憶する記憶手段から、選択された観察系の種類に応じた前記許容視差量を読み出し、
該読み出した許容視差量に応じたサイズを有するポインタを前記表示手段に表示することを特徴とする３次元撮影方法。
【請求項５】
互いに異なる位置において被写体を撮影することにより、３次元表示のために視差を有する複数の画像を取得する複数の撮影手段と、
各種表示を行う表示手段とを備えた３次元撮影装置における３次元撮影方法をコンピュータに実行させるためのプログラムであって、
前記複数の画像を重ねて前記表示手段に表示する手順と、
前記複数の画像を３次元表示する複数種類の観察系についての許容視差量を表す視差情報を記憶する記憶手段から、選択された観察系の種類に応じた前記許容視差量を読み出す手順と、
該読み出した許容視差量に応じたサイズを有するポインタを前記表示手段に表示する手順とをコンピュータに実行させることを特徴とするプログラム。
【発明の詳細な説明】
【技術分野】
【０００１】
本発明は、被写体を異なる位置から撮影することにより、３次元表示するための複数の画像を取得する３次元撮影装置および方法並びに３次元撮影方法をコンピュータに実行させるためのプログラムに関するものである。
【背景技術】
【０００２】
複数の画像を組み合わせて３次元表示することにより、視差を利用して立体視できることが知られている。このような立体視は、同一の被写体を異なる位置から複数のカメラを用いて撮影することにより複数の画像を取得し、複数の画像に含まれる被写体の視差を利用して複数の画像を３次元表示することにより生成することができる。
【０００３】
具体的には、裸眼平衡法により立体視を実現する方式の場合、複数の画像を並べて配置して３次元表示を行うことができる。また、複数の画像の色を例えば赤と青のように異ならせて重ね合わせたり、複数の画像の偏光方向を異ならせて重ね合わせることにより、複数の画像を合成して３次元表示を行うことができる。この場合赤青メガネや偏光メガネ等の画像分離メガネを用いて、３次元表示された画像を目の自動焦点機能により融合視することにより、立体視を行うことができる（アナグリフ方式、偏光フィルタ方式）。
【０００４】
また、偏光メガネ等を使用しなくても、パララックスバリア方式およびレンチキュラー方式のように、複数の画像を立体視可能な３次元表示モニタに表示して立体視することも可能である。この場合、複数の画像を垂直方向に短冊状に切り取って交互に配置することにより、３次元表示が行われる。また、画像分離メガネを使用したり、光学素子を液晶に貼ることで左右の画像の光線方向を変えながら、左右の画像を交互に表示することにより、３次元表示を行う方式も提案されている（スキャンバックライト方式）。
【０００５】
また、このような３次元表示を行うための撮影を行う、複数の撮影部を有する複眼カメラが提案されている。このような複眼カメラは、所定の間隔にて配置された複数の撮影部を備え、複数の撮影部が取得した複数の画像から３次元表示用画像を生成し、生成した３次元表示用画像をモニタに３次元表示することができる。
【０００６】
ところで、複眼カメラで撮影を行った場合に被写体間の視差が大きいと、立体視を行った際に不自然に見える場合がある。例えば、レンチキュラー方式の場合、視差がつきすぎると縦線が二重に見えたり不自然に幅が広がって見える場合があり、アナグリフ方式の場合、被写体が二重に見えたりする場合がある。また、パララックスバリア方式やスキャンバックライト方式においても、視差がつきすぎると同様に被写体が不自然に見える場合がある。
【０００７】
このため、例えば特許文献１に記載されたように、画像に含まれる被写体間の視差が適切なものとなるように、撮影部の間隔すなわち基線長を変更することにより、適切な立体感を有する３次元表示を行うことができるように、複数の画像を取得することができる。また、基線長のみならず、輻輳角を変更することによっても、適切な立体感を有する３次元表示を行うことができるように、複数の画像を取得することができる。このように複数の撮影部の基線長や視差を変更することにより、画像に含まれる被写体間の視差を適切なものとすることができ、その結果、適切な立体感となるように３次元表示を行うことができる。
【特許文献１】特開２００８−１２９４３９号公報
【発明の開示】
【発明が解決しようとする課題】
【０００８】
しかしながら、複数の画像に含まれる被写体間の視差が適切なものとなるように基線長や輻輳角を変更することは容易ではない。
【０００９】
本発明は上記事情に鑑みなされたものであり、３次元表示を行うための複数の画像に含まれる被写体間の視差を容易に適切なものにすることを目的とする。
【課題を解決するための手段】
【００１０】
本発明による３次元撮影装置は、互いに異なる位置において被写体を撮影することにより、３次元表示のために視差を有する複数の画像を取得する複数の撮影手段と、
各種表示を行う表示手段と、
前記複数の画像を３次元表示する複数種類の観察系についての許容視差量を表す視差情報を記憶する記憶手段と、
前記複数の画像を重ねて前記表示手段に表示するとともに、選択された観察系の種類に応じた前記許容視差量を前記記憶手段から読み出し、該読み出した許容視差量に応じたサイズを有するポインタを前記表示手段に表示する表示制御手段とを備えたことを特徴とするものである。
【００１１】
「観察系」は複数の画像を３次元表示する媒体を意味し、複数の画像を３次元表示するモニタ、およびプリント出力により３次元表示を行う場合のプリントが観察系として挙げられる。また、観察系の種類とは、媒体の種類およびサイズの種類を意味する。
【００１２】
なお、本発明による３次元撮影装置においては、前記ポインタの移動の指示を受け付ける指示手段をさらに備えるものとし、
前記表示制御手段を、前記指示手段に対する指示により、前記ポインタを前記表示手段上において移動させる手段としてもよい。
【００１３】
また、本発明による３次元撮影装置においては、前記複数の画像および前記選択された観察系の情報を関連づけて保存する保存手段をさらに備えるものとしてもよい。
【００１４】
「複数の画像および選択された観察系の情報を関連づけて保存する」とは、複数の画像および観察系の情報が管理上一体不可分の関係となることを意味する。具体的には複数の画像および観察系の情報を同一のフォルダに保存する、複数の画像および観察系の情報に共通のファイル名を付与する、複数の画像および観察系の情報が関連することを表す情報を保存する、複数の画像および観察系の情報を１つのファイルに保存する、並びに複数の画像の画像ファイルのヘッダ領域に観察系の情報を記述する等の手法により、複数の画像および観察系の情報を関連づけて保存することができる。
【００１５】
本発明による３次元撮影方法は、互いに異なる位置において被写体を撮影することにより、３次元表示のために視差を有する複数の画像を取得する複数の撮影手段と、
各種表示を行う表示手段とを備えた３次元撮影装置における３次元撮影方法であって、
前記複数の画像を重ねて前記表示手段に表示し、
前記複数の画像を３次元表示する複数種類の観察系についての許容視差量を表す視差情報を記憶する記憶手段から、選択された観察系の種類に応じた前記許容視差量を読み出し、
該読み出した許容視差量に応じたサイズを有するポインタを前記表示手段に表示することを特徴とするものである。
【００１６】
なお、本発明による３次元撮影方法をコンピュータに実行させるためのプログラムとして提供してもよい。
【発明の効果】
【００１７】
本発明によれば、複数の画像が重ねられて表示手段に表示され、選択された観察系の種類についての許容視差量に応じたサイズを有するポインタが表示手段に表示される。このため、撮影者は、ポインタのサイズと複数の画像に含まれる被写体間との視差を比較することにより、被写体間の視差が、ポインタにより示される観察系に応じた許容視差量の範囲内にあるか否かを容易に確認することができる。したがって、撮影者は、被写体間の視差が許容視差量より小さくなるように、複数の撮影手段の基線長および輻輳角、さらには撮影場所を変更することができ、その結果、複数の画像に含まれる被写体間の視差を容易に適切なものとすることができる。
【００１８】
また、ポインタを表示手段上において移動させることにより、被写体間の視差と、許容視差量との比較が容易となる。
【００１９】
また、複数の画像および選択された観察系の情報を関連づけて保存することにより、観察系の情報を参照して、複数の画像を適切に再生することができる。とくに、観察系がプリントの場合には、観察系の情報を参照して、プリントサイズを適切に選択することができる。
【発明を実施するための最良の形態】
【００２０】
以下、図面を参照して本発明の実施形態について説明する。図１は本発明の実施形態による３次元撮影装置を適用した複眼カメラの内部構成を示す概略ブロック図である。図１に示すように本実施形態による複眼カメラ１は、２つの撮影部２１Ａ，２１Ｂ、撮影制御部２２、画像処理部２３、圧縮／伸長処理部２４、フレームメモリ２５、メディア制御部２６、内部メモリ２７、および表示制御部２８を備える。なお、撮影部２１Ａ，２１Ｂは、基線長および輻輳角を変更して被写体を撮影可能なように移動自在に配置されている。
【００２１】
図２は撮影部２１Ａ，２１Ｂの構成を示す図である。図２に示すように、撮影部２１Ａ，２１Ｂは、フォーカスレンズ１０Ａ，１０Ｂ、ズームレンズ１１Ａ，１１Ｂ、絞り１２Ａ，１２Ｂ、シャッタ１３Ａ，１３Ｂ、ＣＣＤ１４Ａ，１４Ｂ、アナログフロントエンド（ＡＦＥ）１５Ａ，１５ＢおよびＡ／Ｄ変換部１６Ａ，１６Ｂをそれぞれ備える。また、撮影部２１Ａ，２１Ｂは、フォーカスレンズ１０Ａ，１０Ｂを駆動するフォーカスレンズ駆動部１７Ａ，１７Ｂおよびズームレンズ１１Ａ，１１Ｂを駆動するズームレンズ駆動部１８Ａ，１８Ｂを備える。
【００２２】
フォーカスレンズ１０Ａ，１０Ｂは被写体に焦点を合わせるためものであり、モータとモータドライバとからなるフォーカスレンズ駆動部１７Ａ，１７Ｂによって光軸方向に移動可能である。フォーカスレンズ駆動部１７Ａ，１７Ｂは、後述する撮影制御部２２が行うＡＦ処理により得られる合焦データに基づいてフォーカスレンズ１０Ａ，１０Ｂの移動を制御する。
【００２３】
ズームレンズ１１Ａ，１１Ｂは、ズーム機能を実現するためのものであり、モータとモータドライバとからなるズームレンズ駆動部１８Ａ，１８Ｂによって光軸方向に移動可能である。ズームレンズ駆動部１８Ａ，１８Ｂはズームレバーを操作することによりＣＰＵ３３において得られるズームデータに基づいて、ズームレンズ１１Ａ，１１Ｂの移動を制御する。
【００２４】
絞り１２Ａ，１２Ｂは、撮影制御部２２が行うＡＥ処理により得られる絞り値データに基づいて、不図示の絞り駆動部により絞り径の調整が行われる。
【００２５】
シャッタ１３Ａ，１３Ｂはメカニカルシャッタであり、不図示のシャッタ駆動部により、ＡＥ処理により得られるシャッタスピードに応じて駆動される。
【００２６】
ＣＣＤ１４Ａ，１４Ｂは、多数の受光素子を２次元的に配列した光電面を有しており、被写体光がこの光電面に結像して光電変換されてアナログ撮影信号が取得される。また、ＣＣＤ１４Ａ，１４Ｂの前面にはＲ，Ｇ，Ｂ各色のフィルタが規則的に配列されたカラーフィルタが配設されている。
【００２７】
ＡＦＥ１５Ａ，１５Ｂは、ＣＣＤ１４Ａ，１４Ｂから出力されるアナログ撮影信号に対して、アナログ撮影信号のノイズを除去する処理、およびアナログ撮影信号のゲインを調節する処理（以下アナログ処理とする）を施す。
【００２８】
Ａ／Ｄ変換部１６Ａ，１６Ｂは、ＡＦＥ１５Ａ，１５Ｂによりアナログ処理が施されたアナログ撮影信号をデジタル信号に変換する。なお、撮影部２１Ａにより取得されるデジタルの画像データにより表される画像を第１の画像Ｇ１、撮影部２１Ｂにより取得される画像データにより表される画像を第２の画像Ｇ２とする。
【００２９】
撮影制御部２２は、不図示のＡＦ処理部およびＡＥ処理部からなる。ＡＦ処理部は入力部３４に含まれるレリーズボタンの半押し操作により撮影部２１Ａ，２１Ｂが取得したプレ画像に基づいて合焦領域を決定するとともにレンズ１０Ａ，１０Ｂの焦点位置を決定し、撮影部２１Ａ，２１Ｂに出力する。ＡＥ処理部は、プレ画像に基づいて絞り値とシャッタ速度とを決定し、撮影部２１Ａ，２１Ｂに出力する。
【００３０】
また、撮影制御部２２は、レリーズボタンの全押し操作により、撮影部２１Ａ，２１Ｂに対して第１および第２の画像Ｇ１，Ｇ２の本画像を取得させる本撮影の指示を行う。なお、レリーズボタンが操作される前は、撮影制御部２２は、撮影部２１Ａに対して画角を確認させるための、第１および第２の画像Ｇ１，Ｇ２よりも画素数が少ないスルー画像を、所定時間間隔（例えば１／３０秒間隔）にて順次取得させる指示を行う。
【００３１】
画像処理部２３は、撮影部２１Ａ，２１Ｂが取得した第１および第２の画像Ｇ１，Ｇ２のデジタルの画像データに対して、ホワイトバランスを調整する処理、階調補正、シャープネス補正、および色補正等の画像処理を施す。なお、画像処理部２３における処理後の第１および第２の画像についても、処理前の参照符号Ｇ１，Ｇ２を用いるものとする。
【００３２】
圧縮／伸長処理部２４は、画像処理部２３によって処理が施され、後述するように３次元表示のために第１および第２の画像Ｇ１，Ｇ２の本画像から生成された３次元表示用画像を表す画像データに対して、例えば、ＪＰＥＧ等の圧縮形式で圧縮処理を行い、３次元表示を行うための３次元画像ファイルを生成する。この３次元画像ファイルは、第１および第２の画像Ｇ１，Ｇ２の画像データおよび３次元表示用画像の画像データを含むものとなる。また、この画像ファイルには、Ｅｘｉｆフォーマット等に基づいて、後述する観察系情報および撮影日時等の付帯情報が格納されたタグが付与される。
【００３３】
フレームメモリ２５は、撮影部２１Ａ，２１Ｂが取得した第１および第２の画像Ｇ１，Ｇ２を表す画像データに対して、前述の画像処理部２３が行う処理を含む各種処理を行う際に使用する作業用メモリである。
【００３４】
メディア制御部２６は、記録メディア２９にアクセスして３次元画像ファイル等の書き込みと読み込みの制御を行う。
【００３５】
内部メモリ２７は、複眼カメラ１において設定される各種定数、およびＣＰＵ３３が実行するプログラム等を記憶する。
【００３６】
表示制御部２８は、撮影時においてフレームメモリ２５に格納された第１および第２の画像Ｇ１，Ｇ２をモニタ２０に２次元表示させたり、記録メディア２９に記録されている第１および第２の画像Ｇ１，Ｇ２をモニタ２０に２次元表示させたりする。また、表示制御部２８は、後述するように３次元処理が行われた第１および第２の画像Ｇ１，Ｇ２をモニタ２０に３次元表示したり、記録メディア２９に記録されている３次元画像ファイルをモニタ２０に３次元表示することも可能である。なお、３次元表示が行われている場合、レリーズボタンが押下されるまでは、第１および第２の画像Ｇ１，Ｇ２のスルー画像がモニタ２０に３次元表示される。
【００３７】
なお、表示モードが３次元表示に切り替えられた場合には、後述するように第１および第２の画像Ｇ１，Ｇ２の双方が表示に用いられ、２次元表示に切り替えられた場合は第１および第２の画像Ｇ１，Ｇ２のいずれか一方が表示に用いられる。
【００３８】
また、表示制御部２８は、後述するようにスルー画像の３次元表示中において、視差確認の指示がなされた場合に、第１および第２の画像Ｇ１，Ｇ２を重ねてモニタ２０に表示する。また、第１および第２の画像Ｇ１，Ｇ２の観察系の種類に応じた許容視差量を表すポインタを、重ね合わせた第１および第２の画像Ｇ１，Ｇ２とともにモニタ２０に表示する。
【００３９】
ここで、第１および第２の画像Ｇ１，Ｇ２を３次元表示するための観察系としては、複眼カメラ１のモニタ２０の他、外部のディスプレイおよびプリントが用いられる。さらに、ディスプレイおよびプリントのサイズも種々異なるものとなる。このように、３次元表示される観察系の種類によって、最適な立体感を得るための視差が異なる。このため、本実施形態においては、観察系の種類についての許容視差量に応じた幅方向のサイズを有するポインタをモニタ２０に表示し、ポインタにより表される許容視差量よりも小さい視差量となるように、第１および第２のカメラ２１Ａ，２１Ｂの基線長および輻輳角を変更したり、撮影位置を変更したりすることができるようにしたものである。
【００４０】
なお、観察系の種類に応じた許容視差量はテーブルとして内部メモリ２７にあらかじめ記憶されている。図３は観察系の種類に応じた許容視差量のテーブルを示す図である。図３に示すように、テーブルＴ１には、ディスプレイ大、ディスプレイ小、Ｌプリント、２Ｌプリントおよび六切プリントが観察系の種類として含まれている。また、テーブルＴ１には、ディスプレイ大、ディスプレイ小、Ｌプリント、２Ｌプリントおよび六切プリントのそれぞれについての許容視差量ａ１〜ａ５が含まれている。
【００４１】
表示制御部２８は、撮影者が選択した観察系の種類に応じて、テーブルＴ１を参照して許容視差量を取得し、モニタ２０上におけるポインタの幅方向のサイズを算出する。ここで、選択された観察系がＬプリントであるとすると、Ｌプリントのサイズは、８９ｍｍ×１２７ｍｍである。また、ＣＣＤ１４Ａ，１４Ｂのサイズが５．９９ｍｍ×７．９８ｍｍであるとすると、ＣＣＤ１４Ａ，１４ＢからＬプリントへの拡大率Ｋ＝１２７／７．９８となる。したがって、Ｌプリント上における許容視差量ａ３は、ＣＣＤ１４Ａ，１４Ｂ上においては、Ｗ＝ａ３／Ｋとなる。表示制御部２８は、ＣＣＤ１４Ａ，１４Ｂ上における許容視差量Ｗを算出し、許容視差量Ｗをモニタ２０の画素数に適合するように換算してポインタＰの幅方向のサイズを算出する。
【００４２】
なお、許容視差量Ｗをあらかじめ算出しておき、テーブルＴ１に含めておくようにしてもよい。
【００４３】
また、本実施形態による複眼カメラ１は３次元処理部３０を備える。３次元処理部３０は、第１および第２の画像Ｇ１，Ｇ２をモニタ２０に３次元表示させるために、第１および第２の画像Ｇ１，Ｇ２に３次元処理を行う。ここで、本実施形態における３次元表示としては、公知の任意の方式を用いることができる。例えば、第１および第２の画像Ｇ１，Ｇ２を並べて表示して裸眼平衡法により立体視を行う方式、またはモニタ２０にレンチキュラーレンズを貼り付け、モニタ２０の表示面の所定位置に画像Ｇ１，Ｇ２を表示することにより、左右の目に第１および第２の画像Ｇ１，Ｇ２を入射させて３次元表示を実現するレンチキュラー方式を用いることができる。また、第１および第２の画像Ｇ１，Ｇ２の色を例えば赤と青のように異ならせて重ね合わせたり、第１および第２の画像Ｇ１，Ｇ２の偏光方向を異ならせて重ね合わせることにより、第１および第２の画像Ｇ１，Ｇ２を合成して３次元表示を実現するアナグリフ方式を用いることができる。さらに、モニタ２０のバックライトの光路を光学的に左右の目に対応するように交互に分離し、モニタ２０の表示面に第１および第２の画像Ｇ１，Ｇ２をバックライトの左右への分離にあわせて交互に表示することにより、３次元表示を実現するスキャンバックライト方式等を用いることができる。
【００４４】
なお、モニタ２０は３次元処理部３０が行う３次元処理の方式に応じた加工がなされている。例えば、３次元表示の方式がレンチキュラー方式の場合には、モニタ２０の表示面にレンチキュラーレンズが取り付けられており、スキャンバックライト方式の場合には、左右の画像の光線方向を変えるための光学素子がモニタ２０の表示面に取り付けられている。
【００４５】
また、第１および第２の画像Ｇ１，Ｇ２の３次元表示は、プリントにおいても行うことができる。例えば、レンチキュラー方式およびアナグリフ方式等は、３次元表示のために生成した３次元表示用画像をプリント出力し、プリントに対して３次元表示に必要な加工を施したり、必要な画像分離メガネを用いたりすることにより、立体視を行うことができる。このため、３次元処理部３０は、３次元表示の方式がレンチキュラー方式およびアナグリフ方式等の場合には、３次元処理部３０が第１および第２の画像Ｇ１，Ｇ２から生成した３次元表示用画像を記録メディア２９に記録する。
【００４６】
ＣＰＵ３３は、レリーズボタンおよび十字キー等を含む入力部３４からの信号に応じて複眼カメラ１の各部を制御する。
【００４７】
データバス３５は、複眼カメラ１を構成する各部およびＣＰＵ３３に接続されており、複眼カメラ１における各種データおよび各種情報のやり取りを行う。
【００４８】
次いで、本実施形態において行われる処理について説明する。図４は本実施形態において行われる処理を示すフローチャートである。なお、本実施形態においては、視差確認の指示が行われた場合の動作についてのみ説明する。視差確認の指示が入力部３４から行われることによりＣＰＵ３３が処理を開始し、表示制御部２８が第１および第２の画像Ｇ１，Ｇ２を重ねてモニタ２０に表示する（ステップＳＴ１）。次いで、表示制御部２８は、内部メモリ２７からテーブルＴ１を読み出して、観察系の選択画面をモニタ２０に表示する（ステップＳＴ２）。
【００４９】
図５は観察系の選択画面を示す図である。図５に示すようにモニタ２０には、ディスプレイ大、ディスプレイ小、Ｌプリント、２Ｌプリントおよび六切プリントの５種類の観察系を選択するための選択画面４０が表示される。撮影者は、入力部３４を用いて所望とする観察系を選択画面４０において選択することができる。このため、ＣＰＵ３３は観察系が選択されたか否かの監視を開始し（ステップＳＴ３）、ステップＳＴ３が肯定されると、表示制御部２８は、観察者が選択した観察系の許容視差量に対応した、モニタ２０上におけるポインタのサイズを算出し（ステップＳＴ４）、算出したサイズのポインタをモニタ２０に表示する（ステップＳＴ５）。
【００５０】
図６はポインタがモニタに表示された状態を示す図である。図６に示すようにモニタ２０には、重ねられた第１および第２の画像Ｇ１，Ｇ２とともに、ポインタＰが表示されている。撮影者は、入力部３４を用いてポインタＰをモニタ２０上において移動して、ポインタＰのサイズと被写体間の視差とを比較することにより、第１および第２の画像Ｇ１，Ｇ２に含まれる被写体間の視差が許容視差量の範囲内にあるか否かを確認することができる。ここで、図６に示す画像の場合、手前側の人物の視差は許容視差量の範囲内にあるが、人物の後の木の視差は許容視差量を超えていることが分かる。
【００５１】
なお、被写体間の視差が許容視差量を超えている場合、撮影者は、撮影部２１Ａ，２１Ｂの基線長および輻輳角を変更したり、撮影場所を移動したりして、複眼カメラ１の画角内にある被写体の視差が許容視差量の範囲内にあるものとなるように、フレーミングを行うことができる。フレーミングが完了すると、撮影者は撮影を行う。
【００５２】
このため、ＣＰＵ３３は、撮影の指示がなされたか否かを判定し（ステップＳＴ６）、ステップＳＴ６が否定されるとステップＳＴ５に戻る。ステップＳＴ６が肯定されると、撮影部２１Ａ，２１Ｂが第１および第２の画像Ｇ１，Ｇ２の本画像を取得し、３次元処理部３０が第１および第２の画像Ｇ１，Ｇ２から３次元表示用画像を生成し、圧縮／伸張処理部２４が、第１および第２の画像Ｇ１，Ｇ２並びに３次元表示用画像の画像データからなる３次元画像ファイルを生成する（ステップＳＴ７）。さらに圧縮／伸張処理部２４は、撮影者が選択した観察系の情報を３次元画像ファイルのタグに記述する（ステップＳＴ８）。そして、メディア制御部２６が３次元画像ファイルを記録メディア２９に記録し（ステップＳＴ９）、処理を終了する。
【００５３】
このように本実施形態においては、第１および第２の画像Ｇ１，Ｇ２を重ねて表示するとともに、撮影者が選択した観察系の種類についての許容視差量に応じたサイズを有するポインタＰを表示するようにしたため、撮影者は、撮影中に第１および第２の画像Ｇ１，Ｇ２に含まれる被写体間の視差が、ポインタにより示される観察系に応じた許容視差量の範囲内にあるか否かを容易に確認することができる。したがって、撮影者は、被写体間の視差が許容視差量より小さくなるように、撮影部２１Ａ，２１Ｂの基線長および輻輳角、さらには撮影場所を変更することができ、その結果、第１および第２の画像Ｇ１，Ｇ２に含まれる被写体間の視差を容易に適切なものとすることができる。
【００５４】
また、ポインタＰを移動可能としているため、被写体間の視差と、許容視差量との比較が容易となる。
【００５５】
また、選択された観察系の情報を３次元画像ファイルのタグに記述しているため、観察系の情報を参照して、第１および第２の画像Ｇ１，Ｇ２を適切に再生することができる。とくに、観察系がプリントの場合には、観察系の情報を参照して、プリントサイズを適切に選択することができる。
【００５６】
なお、上記実施形態においては、複眼カメラ１に２つの撮影部２１Ａ，２１Ｂを設け、２つの画像Ｇ１，Ｇ２を用いて３次元表示を行っているが、３以上の撮影部を設け、３以上の画像を用いて３次元表示を行う場合にも本発明を適用することができる。この場合、モニタ２０には、最も外側にある２つの撮影部により取得された画像を重ねて表示すればよい。
【００５７】
また、上記実施形態においては、ポインタＰをモニタ２０において移動可能としているが、あらかじめ定められた位置に固定させて表示するようにしてもよい。
【００５８】
また、上記実施形態においては、観察系の情報を３次元画像ファイルのタグに記述しているが、第１および第２の画像Ｇ１，Ｇ２および観察系の情報を同一のフォルダに保存する、第１および第２の画像Ｇ１，Ｇ２および観察系の情報に共通のファイル名を付与する、第１および第２の画像Ｇ１，Ｇ２および観察系の情報が関連することを表す情報を保存する、第１および第２の画像Ｇ１，Ｇ２および観察系の情報を１つのファイルに保存する等、第１および第２の画像Ｇ１，Ｇ２および観察系の情報が管理上一体不可分となれば、どのような態様にて第１および第２の画像Ｇ１，Ｇ２および観察系の情報を保存するようにしてもよい。
【００５９】
以上、本発明の実施形態について説明したが、コンピュータを、上記の表示制御部２８に対応する手段として機能させ、図４に示すような処理を行わせるプログラムも、本発明の実施形態の１つである。また、そのようなプログラムを記録したコンピュータ読取り可能な記録媒体も、本発明の実施形態の１つである。
【図面の簡単な説明】
【００６０】
【図１】本発明の実施形態による３次元撮影装置を適用した複眼カメラの内部構成を示す概略ブロック図
【図２】撮影部の構成を示す図
【図３】観察系の種類に応じた許容視差量のテーブルを示す図
【図４】本実施形態において行われる処理を示すフローチャート
【図５】観察系の選択画面を示す図
【図６】ポインタがモニタに表示された状態を示す図
【符号の説明】
【００６１】
１    複眼カメラ
２０    モニタ
２１Ａ，２１Ｂ    撮影部
２２    撮影制御部
２８    表示制御部
３０    ３次元処理部
【図１】
2010102137.tif 000003
【図２】
2010102137.tif 000004
【図３】
2010102137.tif 000005
【図４】
2010102137.tif 000006
【図５】
2010102137.tif 000007
【図６】
2010102137.tif 000008